(57)【特許請求の範囲】
【請求項１】
スイッチ接点を具備し、
枠体に操作軸を回転自在に遊嵌し、
前記操作軸に、
駆動フックと第１の解除アームを備えた固定カム、
およびロックカムを固定するとともにラッチ爪とスイッチ接点操作部を備えた可動カムを回転自在に遊嵌し、
前記枠体に、
係止爪と第１の解除カムと第２の解除カムを備えたスライド板、
およびロック爪と第２の解除アームを備えた検知板を往復動自在に遊嵌し、
前記駆動フックと前記可動カム、
前記第１の解除アームと前記第１の解除カム、
前記第２の解除アームと前記第２の解除カム、
前記ラッチ爪と前記係止爪、
前記スイッチ接点操作部と前記スイッチ接点、
前記ロック爪と前記ロックカムは、
それぞれ係合離脱するように配置し、
前記可動カムを、前記スイッチ接点操作部が前記スイッチ接点から離脱しかつ前記ラッチ爪が前記係止爪から離脱する方向に、
前記スライド板を、前記係止爪が前記ラッチ爪に係合する方向に、
前記検知板を、前記ロック爪が前記ロックカムに係合しかつ前記第２の解除アームが前記第２の解除カムに係合する方向に、
それぞれ付勢した安全機構付きスイッチ。
【請求項２】
リセット釦付き電流ブレーカーを具備し、
可動カムにこの電流ブレーカーのリセット釦と係合離脱するリセット釦操作部を設け、
前記可動カムの付勢された方向に対して前記リセット釦操作部と前記リセット釦は係合する方向に配置した請求項１記載の安全機構付きスイッチ。
【請求項３】
操作軸にシーソー式スイッチ釦を軸支した請求項１または２記載の安全機構付きスイッチ。
【請求項４】
スイッチ接点および電流ブレーカーを電流ブレーカー内蔵シーソースイッチとした請求項３記載の安全機構付きスイッチ。
【発明の詳細な説明】
【０００１】
【発明の属する技術分野】
本発明は、回転調理機等に用いられる安全機構付きスイッチに関するものである。
【０００２】
【従来の技術】
従来の回転調理機等で、調理容器がないときはスイッチが入らず、また運転中に調理容器を外すとスイッチが切れるように構成されたものは、例えば特公平４−５５０５９号公報に記載されたもののように、押し釦式の安全機構付きスイッチを用いていた。
【０００３】
【発明が解決しようとする課題】
しかしながら、上記のような押し釦式の安全機構付きスイッチは、本体の側面にスイッチ釦を配置した場合には、スイッチ釦を横から押すことになり本体が動きやすいという課題を有していた。
【０００４】
本発明は、上記の従来の課題を解決するもので、本体の側面にスイッチ釦を配置しても、使いやすい安全機構付きスイッチを提供することを目的とする。
【０００５】
【課題を解決するための手段】
この課題を解決するために本発明の安全機構付きスイッチは、操作軸を回転させて操作するスイッチに安全機構を取り付けている。
【０００６】
これにより、本体を横から押さない回転式の操作ができる安全機構付きスイッチが得られる。
【０００７】
【発明の実施の形態】
請求項１に記載の発明は、枠体に操作軸を回転自在に遊嵌し、この操作軸に駆動フックと第１の解除アームを備えた固定カムおよびロックカムを固定するとともにラッチ爪とスイッチ接点操作部を備えた可動カムを回転自在に遊嵌し、また前記枠体に係止爪と第１の解除カムと第２の解除カムを備えたスライド板およびロック爪と第２の解除アームを備えた検知板を往復動自在に遊嵌し、かつ前記駆動フックと前記可動カム、前記第１の解除アームと前記第１の解除カム、前記第２の解除アームと前記第２の解除カム、前記ラッチ爪と前記係止爪、前記スイッチ接点操作部とスイッチ接点、前記ロック爪と前記ロックカムはそれぞれ係合離脱するように配置し、さらに前記可動カムを前記スイッチ接点操作部が前記スイッチ接点から離脱しかつ前記ラッチ爪が前記係止爪から離脱する方向に、前記スライド板を前記係止爪が前記ラッチ爪に係合する方向に、前記検知板を前記ロック爪が前記ロックカムに係合しかつ前記第２の解除アームが前記第２の解除カムに係合する方向にそれぞれ付勢した安全機構付きスイッチであり、調理容器で検知板を往復動させるように構成すると調理容器がないときはスイッチがロックされていて入らず、また運転中に調理容器を外すとスイッチが切れる位置に戻る作用を有する。
【０００８】
請求項２に記載の発明では、リセット釦付き電流ブレーカーを具備し、可動カムにこの電流ブレーカーのリセット釦と係合離脱するリセット釦操作部を設け、前記可動カムの付勢された方向に対して前記リセット釦操作部と前記リセット釦は係合する方向に配置しており、電流ブレーカーが動作した場合にスイッチを切る位置に戻すと電流ブレーカーのリセット釦が押され、リセットが手軽に行える安全機構付きスイッチが得られるという作用を有する。
【０００９】
請求項３に記載の発明では、操作軸にシーソー式スイッチ釦を軸支しており、シーソー式のスイッチ操作ができる安全機構付きスイッチが得られるという作用を有する。
【００１０】
請求項４に記載の発明は、スイッチ接点および電流ブレーカーの２部品を電流ブレーカー内蔵のシーソースイッチ１部品にしており、リセットが手軽に行える電流ブレーカーと安全機構を有するスイッチを簡略化して構成できるという作用を有する。
【００１１】
【実施例】
（実施例１）
以下、本発明の第１の実施例について、図１〜図９により説明する。
【００１２】
図２、図４、図６、図８はスイッチ接点１３が「切り」状態である場合を、図１、図３、図５、図７はスイッチ接点１３が「入り」状態である場合をそれぞれ示しており、図１〜図９において、１は枠体２に回転自在に取り付けた操作軸で、この操作軸１には固定カム３およびロックカム４を固定するとともに、可動カム５を回転自在に取り付け、また、枠体２にはスライド板６および検知板７を往復動自在に取り付けている。
【００１３】
固定カム３には、可動カム５と係合する駆動フック８およびスライド板６に設けた第１の解除カム９と係合する第１の解除アーム１０を設け、また、可動カム５にはスライド板６に設けた係止爪１１と係合するラッチ爪１２およびスイッチ接点１３を操作するスイッチ接点操作部１４を設け、また、検知板７にはスライド板６に設けた第２の解除カム１５と係合する第２の解除アーム１６およびロックカム４と係合するロック爪１７を設けている。
【００１４】
さらに、可動カム５は引っ張りコイルばね１８により、スライド板６は圧縮コイルばね１９により、検知板７は圧縮コイルばね２０によりそれぞれ付勢されている。
【００１５】
そして、上記の様に構成したスイッチの組み立て品は例えば、図９のミキサーに示すように、ミキサーコップ２１を本体２２上にのせるとその重みにより検知板７が下げられ、ミキサーコップ２１を取り除くと検知板７が圧縮コイルばね２０により上方に上がるように配置し、操作軸１につまみ２３を取り付けてロータリースイッチとして操作するようにしている。
【００１６】
つぎに本実施例の作用について説明する。上記のように構成されたミキサーにおいて、ミキサーコップ２１が本体２２上にない場合は検知板７が圧縮コイルばね２０によりＢ方向に移動しており、ロック爪１７がロックカム４と係合して操作軸１の回転が阻止されて操作できず、またミキサーコップ２１がある場合は、ミキサーコップ２１の重みにより圧縮コイルばね２０に抗して検知板７がＡ方向に移動しロック爪１７がロックカム４から外れて操作軸１の回転が可能になるとともに、検知板７に設けた第２の解除アーム１６がスライド板６に設けた第２の解除カム１５からも外れてスライド板６の往復動が可能になり、このとき、つまみ２３を操作し操作軸１をＡ方向に回すと固定カム３の駆動フック８が可動カム５を引っ掛けて引っ張りコイルばね１８に抗してＡ方向に回転させスイッチ接点操作部１４がスイッチ接点１３を「入り」状態にしラッチ爪１２が圧縮コイルばね１９によりＡ方向に付勢されているスライド板６に設けた係止爪１１と係合してこの位置に保持される。また、ここから、つまみ２３を操作し操作軸１をＢ方向に回すと固定カム３の第１の解除アーム１０が第１の解除カム９に当たってスライド板６をＢ方向に移動させ係止爪１１がラッチ爪１２から外れ可動カム５は引っ張りコイルばね１８によりＢ方向に戻されスイッチ接点操作部１４がスイッチ接点１３から離れて「切り」状態になる。さらに、スイッチ接点１３が「入り」の状態からミキサーコップ２１を取り除くと、検知板７が圧縮コイルばね２０によりＢ方向に移動し、第２の解除アーム１６がスライド板６に設けた第２の解除カム１５に当たってスライド板６を圧縮コイルばね１９に抗してＢ方向に移動させスライド板６に設けた係止爪１１がラッチ爪１２から外れ、可動カム５は引っ張りコイルばね１８によりＢ方向に回転しスイッチ接点操作部１４がスイッチ接点１３から離れて「切り」状態に戻り、また、操作軸１も固定カム３が駆動フック８に引っ掛けられてＢ方向に回転し「切り」の位置に戻る。
【００１７】
以上の説明のように、調理容器で検知板７を往復動させて調理容器がないときはスイッチがロックされていて入らず、また運転中に調理容器を外すとスイッチが切れる位置に戻るロータリースイッチを得ることができる。
【００１８】
（実施例２）
つぎに、本発明の第２の実施例について説明する。図１０、図１１に示す実施例では、可動カム５にリセット釦操作部２４を設け、「切り」の位置でリセット釦操作部２４によりリセット釦２５が操作される位置に電流ブレーカー２６を配置している。この他の構成については、実施例１と同じなので同じ番号を付し、その説明は省略する。
【００１９】
そして上記のように構成されたスイッチにおいては、電流ブレーカー２６が動作した場合に、スイッチを「切り」の位置に戻すと電流ブレーカー２６のリセット釦２５が操作され、リセットを手軽に行うことができる。
【００２０】
（実施例３）
つぎに、本発明の第３の実施例について説明する。図１１、図１２に示す実施例では、操作軸１にシーソー式スイッチ釦２７を軸支し、機体の開口部２７からシーソー式スイッチ釦２７の頭部をのぞかせるようにしている。この他の構成については、実施例１と同じなので同じ番号を付し、その説明は省略する。
【００２１】
そして上記のように構成することにより、調理容器がないときはスイッチがロックされていて入らず、また運転中に調理容器を外すとスイッチが切れる位置に戻るシーソー式のスイッチを得ることができる。
【００２２】
（実施例４）
つぎに、本発明の第４の実施例について説明する。図１３に示す実施例では、電流ブレーカー内蔵のシーソースイッチ２９のつまみ部分３０の回転中心が操作軸１に一致するように取り付けており、スイッチ接点および電流ブレーカーの２部品を、電流ブレーカー内蔵のシーソースイッチ２９の１部品にしている。この他の構成については、実施例１と同じなので同じ番号を付し、その説明は省略する。
【００２３】
そして上記のように構成することにより、調理容器がないときはスイッチがロックされていて入らず運転中に調理容器を外すとスイッチが切れる位置に戻る安全機構と、リセットが手軽に行える電流ブレーカーとを有するスイッチを簡略化して構成することができる。
【００２４】
【発明の効果】
以上にように、請求項１記載の発明によれば、操作軸に設けた固定カム、ロックカム、可動カムと、スライド板および検知板の作用により、調理容器で検知板を往復動させるように構成すると調理容器がないときはスイッチがロックされていて入らず、また運転中に調理容器を外すとスイッチが切れる位置に戻るという効果が得られる。
【００２５】
また、請求項２記載の発明は、リセット釦付き電流ブレーカーのリセット釦を可動カムに設けたリセット釦操作部で操作するため、電流ブレーカーが動作した場合にスイッチを切る位置に戻すと電流ブレーカーのリセット釦が押され、リセットが手軽に行える安全機構付きスイッチが得られるという効果を有する。
【００２６】
また、請求項３記載の発明は、操作軸にシーソー式スイッチ釦を軸支しており、シーソー式のスイッチ操作ができる安全機構付きスイッチが得られるという効果を有する。
【００２７】
また、請求項４記載の発明によれば、スイッチ接点および電流ブレーカーの２部品を電流ブレーカー内蔵のシーソースイッチ１部品としており、リセットが手軽に行える電流ブレーカーと安全機構を有するスイッチを簡略化して構成できるという効果が得られる。
【図面の簡単な説明】
【図１】  本発明の実施例１の安全機構付きスイッチの正面手前分解図
【図２】  同スイッチの正面手前分解図
【図３】  同スイッチの正面奥分解図
【図４】  同スイッチの正面奥分解図
【図５】  同スイッチの左側面図
【図６】  同スイッチの左側面図
【図７】  同スイッチの右側面図
【図８】  同スイッチの右側面図
【図９】  同スイッチを取り付けたミキサーの縦断面図
【図１０】  本発明の実施例２の安全機構付きスイッチの正面手前分解図
【図１１】  同スイッチの正面手前分解図
【図１２】  本発明の実施例３の安全機構付きスイッチの側面図
【図１３】  同スイッチの側面図
【図１４】  本発明の実施例４の安全機構付きスイッチの側面図
【符号の説明】
１  操作軸
３  固定カム
４  ロックカム
５  可動カム
６  スライド板
７  検知板
８  駆動フック
９  第１の解除カム
１０  第１の解除アーム
１１  係止爪
１２  ラッチ爪
１３  スイッチ接点
１４  スイッチ接点操作部
１５  第２の解除カム
１６  第２の解除アーム
１７  ロック爪
２４  リセット釦操作部
２６  電流ブレーカー
２７  シーソー式スイッチ釦
２９  電流ブレーカー内蔵のシーソースイッチ
【図１】
0004483019.tif 000002
【図２】
0004483019.tif 000003
【図３】
0004483019.tif 000004
【図４】
0004483019.tif 000005
【図５】
0004483019.tif 000006
【図６】
0004483019.tif 000007
【図７】
0004483019.tif 000008
【図８】
0004483019.tif 000009
【図９】
0004483019.tif 000010
【図１０】
0004483019.tif 000011
【図１１】
0004483019.tif 000012
【図１２】
0004483019.tif 000013
【図１３】
0004483019.tif 000014
【図１４】
0004483019.tif 000015